(57)【要約】【課題】食物がすり鉢内のどの部分に移動しても食物を容易にすりつぶすことのできる、安心して食物のすりつぶしができるすり鉢を提供する【解決手段】すり鉢１０は、底面を有するすり鉢本体１１と、すり鉢本体１１に設けられ、すり鉢１０を保持するための把手部１３とを含み、把手部１３はすり鉢１０の側面から延びる第１部分１３ａと、第１部分１３ａからすり鉢の底面側１２に延びる第２部分１３ｃとからなり、すり鉢の底面１２と把手部１３の第２部分の底面側の端部１３ｃとは同じ平面上にある。【選択図】        図３
2004255086.tif 000002
【特許請求の範囲】
【請求項１】
底面を有するすり鉢本体と、
前記すり鉢本体に設けられ、前記すり鉢を保持するための把手部とを含み、
前記すり鉢の底面と前記把手部の底端とは同じ高さ位置にある、すり鉢。
【請求項２】
前記把手部は前記すり鉢の側面から延びる第１部分と、前記第１部分から前記すり鉢の底面側に延びる第２部分とからなる、請求項１に記載のすり鉢。
【請求項３】
前記すり鉢には、所定のはし箱を固定することが可能であり、
前記すり鉢は上部に開口部を有し、
前記開口部の近傍には前記はし箱を前記開口部の上に固定するための固定手段が設けられる、請求項１または２に記載のすり鉢。
【請求項４】
前記固定手段は前記すり鉢の開口部近傍に設けられた凸部を含み、前記はし箱はその中央部に凹部を有し、前記すり鉢の凸部に対して前記はし箱の凹部を相対的に回転して係合させることによって前記はし箱は前記すり鉢に固定される、請求項３に記載のすり鉢。
【発明の詳細な説明】
【０００１】
【発明の属する技術分野】
この発明はすり鉢に関し、特に、食事時に食物をスプーン等で潰しやすいすり鉢に関する。
【０００２】
【従来の技術】
従来のすり鉢が、たとえば下記の特許文献１に開示されている。図８は特許文献１に開示されたすり鉢５０を示す図である。
【０００３】
図８を参照して、従来のすり鉢５０は、すり鉢本体５１と、すり鉢本体５１の側面に設けられた把手部５３とその底部５２とからなる。すり鉢使用時には、すり鉢に食物を入れて、片手で把手部５３を持ち、他方の手でスプーン等を用いて食物を潰す動作を行う。
【０００４】
【特許文献１】
実開平１−６６２５２号公報（図６）
【０００５】
【発明が解決しようとする課題】
従来の、すり鉢は上記のように構成されていた。すり鉢５０に食物を入れてすりつぶすとき、たとえばすり鉢本体５１の斜めの部分５１ａに食物が移動して、その部分で食物を潰そうとすると、すり鉢本体が不安定となって、たとえば斜めになり、食物を潰すのが困難になるという問題があった。また、そのような問題が生じないように、斜めの部分を減らすと、すりつぶすためのおろし目を形成する部分が減ってしまい、有効なすり鉢が得られないという問題があった。
【０００６】
この発明は上記のような問題点に着目してなされたもので、食物がすり鉢内のどの部分に移動しても食物を容易にすりつぶすことのできる、安心して食物のすりつぶしができるすり鉢を提供することを目的とする。
【０００７】
【課題を解決するための手段】
この発明にかかるのすり鉢は、底面を有するすり鉢本体と、すり鉢本体に設けられ、すり鉢を保持するための把手部とを含み、すり鉢の底面と把手部の底端とは同じ高さ位置にある。
【０００８】
すり鉢の底面と把手部の底端とが同じ高さ位置にあるため、すり鉢はその底面と把手部の底面側の底端で平面上に支持される。すり鉢は平面上で安定し、たとえすり鉢の傾斜部で食物を潰したとしても、すり鉢が不安定になってひっくり返ったりすることはない。
【０００９】
その結果、安心して食物を潰すことのできるすり鉢が提供できる。
【００１０】
なお、ここですり鉢の底面と把手部の底面側の端部とが同じ平面上であるという場合の平面は、厳密な意味での同一平面上であってもよいが、すり鉢本体の底面と把手部の下端部とですり鉢が平面上で安定であれば良い。
【００１１】
好ましくは、把手部はすり鉢の側面から延びる第１部分と、第１部分からすり鉢の底面側に延びる第２部分とからなる。
【００１２】
好ましくは、すり鉢には、所定のはし箱を固定することが可能である。すり鉢は上部に開口部を有し、開口部の近傍にははし箱を開口部の上に固定するための固定手段が設けられる。
【００１３】
すり鉢の上部には所定のはし箱を固定するための固定手段が設けられ、はし箱が固定されるため、すり鉢とはし箱とを一体で持ち運びできる。
【００１４】
さらに好ましくは、固定手段はすり鉢の開口部近傍に設けられた凸部を含み、はし箱はその中央部に凹部を有し、すり鉢の凸部に対してはし箱の凹部を相対的に回転して係合させることによってはし箱はすり鉢に固定される。
【００１５】
すり鉢の開口部近傍に設けられた凸部とはし箱の中央部に設けられた凹部と相対的に回転して係合させることによってはし箱はすり鉢に固定されるため、簡易な構成ですり鉢とはし箱とを一体できる。
【００１６】
【発明の実施の形態】
以下この発明の実施の形態を図面を参照して説明する。
【００１７】
図１はこの発明の一実施の形態にかかるすり鉢の全体構成を示す斜視図である。図１を参照して、この発明の一実施の形態にかかるすり鉢１０は、内部におろし目１４を有するすり鉢本体１１と、すり鉢本体１１の側面に設けられた把手部１３と、すり鉢本体１１の底部に設けられた底面支持部１２と、後に説明する、はし箱をすり鉢に固定するために本体１１の上部開口の近傍に設けられた凸部１５とを含む。
【００１８】
把手部１３は本体１１の側面から水平に延びる第１部分１３ａと、第１部分１３ａから下方向に延びる第２部分１３ｂとを含む。第２部分１３ｂはその最下部に底面支持部と平行に形成された下端部１３ｃを有する。
【００１９】
図２はすり鉢１０の平面図である。図２を参照して、すり鉢１０の本体１１内部にはおろし目１４が形成されている。
【００２０】
図３はすり鉢１０を平面の上に載置した状態を示す一部断面図である。図３を参照して、すり鉢１０の底面支持部１２と把手部１３の下端部とは同じ平面上にある。なお、この平面度は、すり鉢１０を平面上に載置したとき、すり鉢１０の底面支持部１２と把手部１３の下端部とが平面に接し、すり鉢１１が平面上で安定する程度でもよい。
【００２１】
次に図３を参照して、すり鉢１０を使って内部で食物を潰す動作について説明する。すり鉢を使用する人はテーブル等の平面上で、たとえば左手で把手部１３の第２部１３ｂをつかみ、右手で図示の無いスプーンをつかんですり鉢１０内の食物を潰す。このとき、食物はすり鉢１０内で移動する。食物が移動しても、すり鉢の底面支持部１２と把手部１３の下端部１３ｃですり鉢を平面上に保持するため、すり鉢は安定する。また、食物がすり鉢１０の傾斜部１１ａ上に滞留し、この状態で食物をスプーンで潰してもすり鉢１０は平面上で安定しているため、すり鉢１０がひっくり返ったり、することはない。
【００２２】
なお、反対側の傾斜部に食物が滞留したときは把手部１３の第１部分を上から押さえることによって対処できる。
【００２３】
次にすり鉢１０に固定されるはし箱２０について図４および図５を参照して説明する。図４はすり鉢１０と係合する、はし箱２０の裏面を示す図であり、図５は図４に示したはし箱３０を留め金部２６側から見た図である。図４および図５を参照して、はし箱２０は、はし箱本体２１を含む。はし箱本体２１は後に説明するはし等を載置する載置部２１ｂと載置部２１ｂを覆う蓋部２１ａとを含む（図７参照）。
【００２４】
載置部２１ｂと蓋部２１ａとはヒンジ部２４，２５で開閉可能に接続されている。はし箱２０が容易に開かないよう載置部２１ｂと蓋部２１ａとは留め金部２６でしっかりと閉められる。なお、留め金部２６は任意の形式が公知であるのでその説明は省略する。
【００２５】
次にはし箱２０とすり鉢１０との接続について説明する。すり鉢１０の上部開口がはし箱２０の第１の径を有する円形の凹部２２に係合する。円形の凹部２２の円周上の相互に対称の位置には第１の径より大きい第２の径を有する第２凹部２３が形成されている。第２凹部２３は、はし箱２０をすり鉢１０と一体化するときに、すり鉢１０の凸部１５を受け入れる凸部受け部分２３ａと、凸部受け部分２３ａに連続して設けられ、はし箱２０をすり鉢１０とをすり鉢１０の凸部１５とはし箱２０の凸部受け入れ部２３ａとを合わせて相対的に回転したとき、すり鉢１０の凸部をはし箱３０内に保持する部分２３ｂとを含む。
【００２６】
次に、はし箱３０をすり鉢１０と一体化した状態について説明する。図６は、はし箱２０をすり鉢１０と一体化した場合の正面図である。図６を参照して、上記したように、はし箱２０の裏面側に設けられた凹部２２がすり鉢１０の開口部近傍に設けられた凸部１５に係合し、両者は一体化される。すり鉢１０はその底面と把手部の下部とで平面上に支持されるため、すり鉢１０の上面にそれより大きいはし箱２０が載置されても、不安定になることなく平面上で支持される。
【００２７】
次に、はし箱２０の内部について図７を参照して説明する。図７は、はし箱２０を、その留め金２６をあけて蓋部２１ａを開けた状態を示す平面図である。図７に示すように、はし箱２０には、スプーン３１、はし３２、右利きおよび左利きのいずれの人も使用できるスプーン３３およびフォーク３４が収納されている。
【００２８】
はし箱２０内に上記のように複数種類の食事用道具を収容できるため、食事時にはこのはし箱さえ準備すれば良い。また、このはし箱はすり鉢と一体化して収納可能であるため、たとえば母親は子供の食事の時に必要な物を一式すぐに取り出すことができる。
【００２９】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。そのいくつかを例示的に列挙して説明する。
【００３０】
（１）上記実施の形態においてはすり鉢には把手部が１つだけ設けられた例について説明したが、これに限らず、相互に対称にすり鉢に２箇所設けても良い。
【００３１】
（２）上記実施の形態ではすり鉢とはし箱とは相互に回転させて一体化する構成について説明したが、これに限らず、任意の方法で一体化しても良い。
【図面の簡単な説明】
【図１】すり鉢の斜視図である。
【図２】すり鉢の平面図である。
【図３】すり鉢の側面図である。
【図４】はし箱の裏面図である。
【図５】図４に示したはし箱を留め金の方向から見た図である。
【図６】はし箱がすり鉢に一体的に取付けられた図である。
【図７】はし箱を開けた状態を示す図である。
【図８】従来のすり鉢を示す図である。
【符号の説明】
１０  すり鉢、１１  すり鉢本体、１２  底部、１３  把手部、１４  おろし目、１５  凸部、２０  はし箱。
【図１】
2004255086.tif 000003
【図２】
2004255086.tif 000004
【図３】
2004255086.tif 000005
【図４】
2004255086.tif 000006
【図５】
2004255086.tif 000007
【図６】
2004255086.tif 000008
【図７】
2004255086.tif 000009
【図８】
2004255086.tif 000010